(57)【要約】  電子通信文書からの広告の作成を含む技術。一実施形態において、受信した電子メールが広告情報を含むという判定がなされる。電子広告において使用することができる電子メールの要素が識別され、電子メールの少なくともこの識別された要素を使用して電子広告が作成される。
2014525629.tif 000002
【特許請求の範囲】
【請求項１】
対象とする受信者に宛てた電子メッセージを受信するように構成された受信器と、
前記電子メッセージを受信し、前記電子メッセージが電子広告として構築できる情報を伝達しているかどうかを判定するように構成された分析モジュールと、
前記情報を受信し、前記電子メッセージが前記情報を含んでいた場合には、少なくとも前記情報を使用して、前記電子広告を作成するように構成された広告作成モジュールと
を備える装置。
【請求項２】
前記受信器、前記分析モジュール、および前記広告作成モジュールが前記対象とする受信者のユーザ装置で実施され、
前記電子広告が前記ユーザ装置を介して提示されるように構成された広告配置モジュールをさらに備える請求項１に記載の装置。
【請求項３】
前記受信器、前記分析モジュール、および前記広告作成モジュールが前記電子メッセージの発信源と前記対象とする受信者のユーザ装置との間の通信経路にあるメッセージサーバで実施される請求項１に記載の装置。
【請求項４】
前記電子広告を前記ユーザ装置に送信するように構成された送信器をさらに含む請求項３に記載の装置。
【請求項５】
前記電子広告を前記ユーザ装置において最終的に提示するために広告プラットフォームに送信するように構成された送信器をさらに含む請求項３に記載の装置。
【請求項６】
対象とする装置に宛てた電子メールを、受信器を介して受信するステップと、
プロセッサを使用して、前記電子メール内のデータの少なくとも一部を分析して、前記電子メールが広告情報を含む広告電子メールであることを明示的にに示すデータを前記電子メールが含むかどうかを判定するステップと、
前記電子メールが広告電子メールであると判定された場合は、前記プロセッサを使用して、前記電子メールから広告コンテンツを構文解析するステップと、
前記プロセッサおよび前記電子メールからの少なくとも前記広告コンテンツを使用して、電子広告を作成するステップと、
前記対象とする装置上への前記作成された電子広告の提示を容易にするステップと
を含むコンピュータ実施方法。
【請求項７】
電子メールを受信するステップが前記対象とする装置で前記電子メールを受信するステップを含み、
前記対象とする装置が前記電子メールを受信し、前記データの前記少なくとも一部を分析し、前記電子メールから前記広告コンテンツを構文解析し、前記電子広告を作成し、前記作成された電子広告を前記対象とする装置で少なくとも視覚的に表示できるようにする請求項６に記載のコンピュータ実施方法。
【請求項８】
電子メールを受信するステップが前記対象とする装置のメールサーバで前記電子メールを受信するステップを含み、
前記メールサーバが前記分析、構文解析、および作成を行い、前記作成された電子広告の提示を容易にするステップが前記電子広告を提示のために前記対象とする装置のアドレスに送信するステップを含む請求項６に記載のコンピュータ実施方法。
【請求項９】
前記広告情報を前記メールサーバから広告サーバに送り、前記電子広告の前記作成および前記対象とする装置上での前記作成された電子広告の前記提示を容易にするステップをさらに含む請求項８に記載のコンピュータ実施方法。
【請求項１０】
前記作成された電子広告を広告サーバに送り、前記対象とする装置上での前記作成された電子広告の前記提示を容易にするステップをさらに含む請求項８に記載のコンピュータ実施方法。
【発明の詳細な説明】
【技術分野】
【０００１】
一実施形態は、電子広告に関し、より具体的には電子通信文書からの広告の生成に関する。
【背景技術】
【０００２】
グローバネットワークおよび関連する電子通信文書の出現とともに、マーケティングは、大部分が紙に基づいた広告および勧誘から電子的な広告および勧誘へと著しい発展を遂げている。今日、電子メールすなわち「Ｅメール」は、広告主が広告および勧誘のための所望の客層を見つける最良の媒体の１つとなっている。広告主は、電子メールを送るべき電子メール・アドレスを知ることができ、広告主は、これらの電子メールに図表および他の情報を埋め込むことができる。商用電子メールの配信は、ユーザが電子メールに処置を講ずる前に、電子メールを件名毎に最後まで読むことを事実上強いられる可能性があるため、理論上高い投資収益率を有する可能性がある。
【０００３】
しかし、ユーザは、電子メールを介して受信した明らかな広告もしくは勧誘を結局は削除または無視し、それらに関連づけられたコンテンツを全く閲覧しない場合がある。電子メール受信者は、時折通信文書が氾濫していると感じる場合があり、広告電子メールは、便宜上の理由だけであれば無視されることがある。これらおよび他の要因は、どんな広告または他の勧誘についても投資収益率に逆効果を与える可能性がある。
【発明の概要】
【課題を解決するための手段】
【０００４】
電子通信文書からの広告の作成を含む技術。代表的な１つの技術は、コンピュータ・システムによって実行可能な保存された命令を有するコンピュータ可読媒体を含む。実行可能命令によって、受信した電子通信文書が広告情報を含むという判定をすることができる。電子広告において使用することができる電子通信文書の要素を識別することができ、電子通信文書の少なくともこの識別された要素を使用して、電子広告を作成することができる。
【０００５】
別の代表的な実施形態において、少なくとも、受信器、分析モジュール、および広告作成モジュールを含む装置が提供される。受信器は、対象とする受信者に宛てた電子メッセージを受信するように構成される。分析モジュールは、電子メッセージを受信し、電子メッセージが電子広告として構築できる情報を伝達しているかどうかを判定するように構成される。広告作成モジュールは、情報を受信するように、および少なくともその情報を使用して電子広告を作成するように構成される。
【０００６】
別の実施形態において、対象とする装置に宛てた電子メールを受信するステップを含むコンピュータ実施方法が提供される。電子メール内のデータのうちの少なくとも一部を分析して、電子メールが広告情報を含む広告電子メールであることを明示的に示すデータをその電子メールが含むかどうかを判定する。電子メールが広告電子メールであると判定された場合は、広告コンテンツがその電子メールから構文解析される。電子広告は、電子メールからの少なくともこの広告コンテンツを使用して作成される。結果として得られる作成された電子広告（複数可）を、対象とする装置を介して提示することができる。
【０００７】
本概要は、以下の詳細な説明においてさらに説明する概念から選択された１つを簡略化された形態で紹介するために提供されている。本概要は、特許請求される主題の主な特徴または本質的な特徴を特定するようには意図されておらず、特許請求される主題の範囲を限定するために使用されることも意図されていない。
【図面の簡単な説明】
【０００８】
【図１】商用電子メールまたは他の伝達される勧誘を広告として提示するための代表的な方法を全体的に示すブロック図である。
【図２】電子メールまたは他の電子メッセージを、ユーザに提示する１つまたは複数の広告を作成するための基盤情報として利用するための一実施形態を全体的に示す流れ図である。
【図３】入ってくる電子メッセージに基づいて広告を作成およびユーザへ提示するための実施形態を示す流れ図である。
【図４】入ってくる電子メール広告に基づいた広告の生成および提示に関連づけられた様々な特徴を図式的に示す図である。
【図５】電子メールおよび他の電子メッセージを処理して、それらが広告メッセージであるかどうかを判定し、それらから広告を作成し、作成された広告を提示することができる代表的なシステム、および／または本明細書に記載された他の機能を示すブロック図である。
【図６Ａ】本明細書に記載されるような電子広告の作成を容易にする装置の様々な代表的な例を示す図である。
【図６Ｂ】本明細書に記載されるような電子広告の作成を容易にする装置の様々な代表的な例を示す図である。
【図６Ｃ】本明細書に記載されるような電子広告の作成を容易にする装置の様々な代表的な例を示す図である。
【図７】ユーザ装置が電子メールを広告電子メールであると明示的に識別するように構成された電子メールを受信し、結果として得られる広告がユーザ装置を介して提示される代表的な方法を示す流れ図である。
【図８】本明細書に記載される原理を実施することができる代表的な計算システムを示す図である。
【発明を実施するための形態】
【０００９】
以下の説明において、代表的な実施態様の例を示す添付図面を参照する。本開示の範囲から逸脱せずに構造的および／または動作的な変更が行われてもよいため、他の実施形態および実施態様が利用されてもよいことを理解されたい。
【００１０】
本開示は、一般に電子的に提示される広告を対象とする。とりわけ、本開示は、電子メール（Ｅメール）および他の電子通信文書などの伝達されるディジタル情報が、広告を導出することが可能な情報を提供することができる代表的な方法について記載する。作成された、さもなければ導出された広告を、電子通信文書を受信するユーザ装置（複数可）を介して提示することができる。広告主は、広告主が電子メール・アドレス、テキスト・メッセージ番号などの適切なコンタクト情報を有するユーザ装置を対象とし、電子通信文書で情報を提供することができ、その情報から広告が提示のために作成され、さもなければ取得されうる。
【００１１】
本開示は、広告の発信源が広告情報を対象とする受信者に向けることができ、伝達されるメッセージ中の広告情報の形態とは異なる形態で、および／または伝達されるメッセージ中の広告情報の形態に加えて、結果として得られる広告の提示を容易にする代表的な方法を提供する。電子的に伝達されるメッセージ、例えば、電子メール、テキスト・メッセージ、およびマルチメディア・メッセージなどは、広告主が所望の客層を見つけるための一般的な媒体である。広告主は、対象とする受信者に電子メール広告を送ることができる一方、受信者は、最終的には受信ボックスまたは他の保管場所の電子メールを見て、電子メールを開けて広告を閲覧しなければならない。典型的には、受信者は、各件名を１行毎に閲覧しながら、受信した電子メールのリストを最後まで読み、電子メールを読むべきか、削除すべきか、移動すべきか、保存すべきか、またはその他の方法で管理すべきかどうかを判断することになる。本開示は、送信された広告および他の商用電子メールを解釈し直し、それらを典型的な広告ユニットまたは他の所望の領域において広告としてユーザに提示するための方法を提供する。
【００１２】
一実施形態において、受信した電子メールは、ユーザに提示される必要が全くなくてもよく、その結果電子メール受信ボックスにはユーザにとって構文解析すべき電子メールは少数しかないが、それでも所与の広告空間に広告として商用メッセージ伝達を提示することができる。また、電子メールまたは他の伝達されたメッセージに関する情報を構文解析し、ダイナミックに広告を構築するための代表的な方法が本明細書において記載される。代表的な例によって以下説明するように、広告は、その広告を作成するために電子メールもしくは他のディジタル通信文書に明示的に置かれた情報から、または本来的に、電子メールもしくは他の通信文書において通常提供される情報を精査することによって作成されてもよい。
【００１３】
例えば、図１は、商用電子メールまたは他の伝達される勧誘を広告として提示するための代表的な方法を全体的に示すブロック図である。広告（「ａｄ」）の発信源１００は、アドレス可能な受信者に電子メールもしくは他の電子通信文書を伝達することができる個人、会社、電子メール・マーケティング・サービス提供者、または任意のエンティティであってもよい。例示した実施形態において、発信源１００は、ユーザ装置１０４Ａ／１０４Ｂとして図１に示す１つまたは複数の受信者装置に１つまたは複数のアドレス可能な電子通信文書１０２を伝達する。アドレス可能な電子通信文書１０２には、例えば、ユーザ装置１０４Ａ／１０４Ｂによって受信可能な電子メール、テキストもしくは媒体メッセージ、または任意の他のタイプの電子メッセージが含まれてもよい。
【００１４】
一実施形態において、ユーザ装置１０４Ａ／１０４Ｂは、アドレス可能な電子通信文書１０２を受信するために使用される任意の装置を表す。例えば、ユーザ装置１０４Ａ／１０４Ｂは、デスクトップ・コンピュータ、ラップトップもしくは他のポータブル・コンピュータ、携帯電話もしくは他のモバイル通信装置、携帯情報端末（ＰＤＡ）、または電子メールおよび／もしくは他の電子通信文書を受信するように構成することができる任意の他の電子装置を表すことができる。
【００１５】
本開示は、電子メールおよび他の電子通信文書が、ユーザ装置１０４Ａ／１０４Ｂを対象とした広告を作成可能な情報を提供することができる代表的な方法について説明する。作成された広告を、電子メールを受信するユーザ装置１０４Ａ／１０４Ｂを介して提示することができる。受信した電子メールからの広告の作成を容易にするために、広告準備モジュール１０６が設けられている。広告準備モジュール１０６は、電子メールを少なくとも受信するように構成された電子メール・クライアントを有するデスクトップ計算装置において実施されるなど、エンド・ユーザ装置１０４Ａの一部として設けられてもよい。別の例は、テキスト・メッセージを受信するように構成された計算装置または携帯電話である。ユーザ装置１０４Ａによって示すように、広告準備モジュール１０６は、電子メールまたは他のアドレス可能な電子通信文書１０２を受信する同じユーザ装置１０４Ａの一部として実施されてもよい。
【００１６】
別の実施形態において、広告準備モジュール１０６は、仲介装置、サーバ、または他の計算／通信装置の一部として提供されてもよい。例えば、広告準備モジュール１０６は、メールサーバ１０８、または電子通信文書１０２の発信源１００と対象とするユーザ装置１０４Ｂとの間に論理的に位置する他のメッセージサーバもしくはメッセージ転送エージェントにおいて実施されてもよい。メールサーバ１０８は、発信源１００からユーザ装置１０４Ｂへの電子通信文書１０２の配信を支援することができる。以下でより完全に説明するように、広告準備モジュール１０６は、これらまたは他の装置と一緒に設置されてもよい。
【００１７】
例示した実施形態において、広告準備モジュール１０６は、電子通信文書分析モジュール１１０および広告作成モジュール１１２を含む。電子通信文書分析モジュール１１０は、電子メールまたは他の電子通信文書／メッセージを受信し、電子通信文書が広告に関係のある通信文書かどうかを判定することが可能なモジュールを表す。以下で説明するように、この判定は、広告情報が提供されていることを明示的に示す電子メールまたは他のメッセージにおいて提供される情報を分析することによってなされてもよい。あるいは、この判定は、広告であることを暗示する電子メールまたは他の通信文書を分析することによってなされてもよい。
【００１８】
電子メールまたは他のメッセージから得られた情報を使用して、電子メールにおいて提供される情報に基づいて広告（複数可）を作成することができる。図１において、広告作成モジュール１１２は、電子通信文書分析モジュール１１０を介して得られた情報から広告（複数可）を作成する。次いで、広告（複数可）は、電子メールそのものの内部で、電子メールの外側ではあるが電子メール・クライアントの内部で、ウェブ／インターネット・ページ上で、ローカルのイントラネット・ページ上で、別のクライアント・プログラム内でなど、任意の所望の方法でユーザ装置１０４Ａ／１０４Ｂを介して提示されてもよい。
【００１９】
とりわけ、図１の実施形態によって、広告情報を提供する電子メールまたは他のメッセージの代わりに、またはそれらに加えて、１つまたは複数の広告を提示することが可能となる。例えば、ユーザ装置は、広告に変換される情報を含む電子メールを受信することができる。結果として得られる広告（複数可）は、典型的な広告ユニットまたは他の場所においてユーザ装置を介して提示されてもよい。とりわけ、これによって、一部の実施形態において、広告情報を提供する電子メールをユーザが開かなくても、広告をユーザに提示することが可能となる。
【００２０】
図２は、電子メールまたは他の電子メッセージを、ユーザに提示する１つまたは複数の広告を作成するための基盤情報として利用するための一実施形態を全体的に示す流れ図である。図２の実施形態は、明示的にまたは暗示的に電子メールまたは他の電子メッセージの中核要素を検出し、それらの検出された要素を使用して広告を作成することができることを全体的に示す。具体的には、ブロック２００で示すように、アドレス可能な電子通信文書が受信される。上記したように、アドレス可能な電子通信文書は、特定のユーザ（複数可）に伝達することができる電子メール、テキスト・メッセージ、または他の電子メッセージであってもよい。判定ブロック２０２で判定されるように、受信した電子メールまたは他の電子通信文書が、広告が作成されることになる判定基準を満たさなければ、ブロック２０４に示すように、広告は、作成されない。一実施形態において、受信した電子通信文書が判定基準を満たすかどうかを判定するステップは、受信した電子通信文書が商品またはサービスと見なすべき勧誘または案内を含むかどうかを判定するステップを含むが、判定基準は、任意の勧誘（例えば、寄付要求、調査要求など）に対してであってもよい。
【００２１】
一方、電子通信文書がブロック２０２で判定されるような判定基準を満たす情報を含んでいる場合は、最終的な広告において使用することができる受信した通信文書の要素をブロック２０６で識別する。例えば、電子通信文書は、電子メールの本文、電子メールの添付ファイル、または他のどこかで提供されるコンテンツを識別するために構文解析されてもよい。受信した電子通信文書の識別された要素を使用して、ブロック２０８で示すように広告を作成することができる。一実施形態において、広告は、電子メールを受信するローカル装置で作成されてもよい。別の実施形態において、広告は、電子メールの発信源からユーザ装置までの経路上のメールサーバまたは他の仲介装置において作成されてもよい。さらに別の実施形態において、受信した通信文書の識別された要素は、ある装置、サーバ、広告サービス、または他の計算装置に送信され、広告（複数可）を作成し、その広告（複数可）をユーザ装置へ送り返すことができる。
【００２２】
最終的に、作成された広告を、ブロック２１０で示すように、ユーザに提示することができる。広告は、ユーザが電子通信文書を受信する装置によって、またはさらにはユーザの別の電子装置を介して提示されてもよい。例えば、適切に構成されている場合、ユーザは、第１の装置（例えば、仕事用コンピュータ）で電子メールを受信することができ、第２の装置（例えば、家庭用コンピュータ、携帯電話など）に作成された広告を送信することができる。したがって、一実施形態において、ユーザは、作成された広告が提示される別のアドレス（例えば、電子メール・アドレス、ＩＰアドレス、個人のウェブ・ページなど）を指定することができる。他の実施形態において、作成された広告は、ユーザの関与なしに、１つまたは複数の場所、アプリケーション、装置などにおいて提示される。広告の提示が、広告を視覚的に表示すること、および／または広告を聞こえるように提示することを含んでもよいことに留意されたい。
【００２３】
図３は、入ってくる電子メッセージに基づいてユーザへの広告を作成および提示するための実施形態を示す流れ図である。図３の例において、電子メッセージは、電子メール通信文書であると仮定している。図３の一部の特徴は、メールサーバまたは他の仲介装置において行われてもよく、あるいはすべての特徴が電子メールを受信するローカル装置で行われてもよいことに留意されたい。
【００２４】
ブロック３００において、電子メールが受信される。一実施形態において、電子メールは、ブロック３０２で示すように構文解析され、電子メールの様々な部分が識別され、次いでこの様々な部分をブロック３０４で分析することができる。例えば、電子メールは、ブロック３０２で構文解析され、ヘッダ、ヘッダフィールド、電子メール本文、メタデータ、または電子メールから取得可能な他の情報を識別することができる。あるいは、電子メールは、その全体が分析されてもよい。
【００２５】
一実施形態において、明示的なブロック３０６によって示すように、電子メールが広告の作成において使用されることになることを示すため、情報を電子メールにおいて明示的に宣言することができる。例えば、電子メールの送り手または他の発信源は、広告データ、画像、対象客層を識別する情報、および／またはブロック３０４において分析されたときに認識することができる他の情報を含むことができる。この情報には、電子メールを広告であると識別させることが可能なそれらの情報のうちの１つまたは両方、ならびに広告コンテンツそのものの一部またはすべてが含まれてもよい。そうした実施形態において、電子メールは、ブロック３０４で分析され、電子メールに明示的に置かれたメタデータまたは他の情報を精査することによって電子メールが広告かどうかを判定する。この情報は、様々な方法で、例えば、電子メール・ヘッダ３０８によって、多目的インターネット・メール拡張仕様（ＭＩＭＥ）形式３１０によって、ハイパーテキスト・マークアップ言語（ＨＴＭＬ）、拡張マークアップ言語（ＸＭＬ）タグなどを介して提供されるメタデータなどによって提供されてもよい。
【００２６】
より具体的には、電子メールを広告であると識別する広告コンテンツおよび／または情報（以降、広告情報）は、新しく作成されたヘッダフィールド、未使用の既存のヘッダフィールドなどのヘッダ３０８に置かれてもよい。別の実施形態において、広告情報を提供するために、新しいＭＩＭＥ形式３１０がテキストの本文または他のコンテンツを提供する電子メールに含まれてもよい。図３の例においてＭＩＭＥ形式３１０が使用されているが、任意の類似の電子メールおよび／または電子メール拡張メッセージ書式仕様もしくはモデルが同様に使用されてもよいことを認識されたい。ＭＩＭＥ形式３１０は、単に現在の電子メール技術において豊富に使用されているという理由から本例において使用されている。
【００２７】
したがって、新しいＭＩＭＥ（または類似の）形式３１０は、意図的に広告情報を含むように作成されてもよい。ブロック３０４で示すように、電子メールが広告かどうかを判定するために電子メールを分析するように構成されたモジュールは、特定のＭＩＭＥ形式（複数可）３１０を認識し、広告情報を取得する。電子メールの分析および広告の作成を行うように構成されていなくてもよい電子メールの他の受信者は、ＭＩＭＥ形式３１０に関連づけられた情報を単に無視することができる。
【００２８】
電子メールにおいて広告情報を提供することができるさらに別の代表的な方法は、広告情報をある種のメタデータ３１２としてページの本文へ加えることである。例えば、普通ならば認識されないＨＴＭＬタグを使用することによって広告情報をメタデータ３１２として加えることができる。また、これは、ＸＭＬなどの他のマークアップ言語、または電子メールもしくは他のメッセージにおける情報に注釈をつける任意の他の方法を使用して達成されてもよい。広告情報は、電子メールを分析３０４するように構成されたモジュールによって認識されるタグまたは他の識別子に関連づけされてもよく、一方でその電子メールを受信する他の電子メール・クライアント、ブラウザ、および他のアプリケーションは、単にそれらのタグを無視するか黙殺するだけでよい。
【００２９】
一実施形態において、電子メールの本文は、広告コンテンツそのものの一部またはすべてを含んでもよい。そうした実施形態において、ヘッダ３０８、ＭＩＭＥ形式３１０、メタデータ３１２、および／または他のメカニズムを使用して、入ってくる電子メールを広告（複数可）が生成されることになる広告電子メールであると明示的に識別する情報を提供することができる。他の実施形態において、ヘッダ３０８、ＭＩＭＥ形式３１０、メタデータ３１２、または他のメカニズムのうちのいずれか１つまたは複数を使用して、広告を作成するために最終的に使用される広告コンテンツの一部またはすべてを提供することもできる。
【００３０】
図３の例において、電子メールを分析３０４して、電子メールが広告かどうかを判定することができる別の代表的な方法を示す。具体的には、入ってくる電子メールが、広告が作成される広告電子メールと見なされるかどうかが、電子メール内のコンテンツから暗示される。このことが図３のブロック３１４に示されている。本実施形態において、いずれか１つまたは複数の要因が、１つまたは複数のアルゴリズム３１６によって処理され、入ってくる電子メールから広告が作成されるかどうかを暗示的に判定することができる。ボックス３１４は、入ってくる電子メールが、広告が作成される広告電子メールと見なされるかどうかを判定する際に考慮されうる数多くの代表的な要因を示す。これらの要因は、単に代表的なものであって、網羅的なリストを表してはいない。例えば、製品のブランド名、サービス名称、製品名、主題行、および／または本文内のある言葉（例えば「セール」、クレジットカードもしくは他の決済名、「注文」など）、画像、価格情報、電子メール広告に典型的に関連づけられる法的な免責条項などの電子メール内の情報。一実施形態において、タイトルもしくは見出しのタグ（例えば、ＨＴＭＬについてはＨ１、Ｈ２など）に、または他の指定されたタグもしくはフィールドに関連して、識別子が提供されてもよい。これらおよび／または他の要因のうちのいずれか１つまたは複数を使用して、アルゴリズム（複数可）は、様々な要因を比較検討し、特定の電子メールが商用電子メール、広告、または他の勧誘と考えられるかどうかを最終的に判定することができる。
【００３１】
所与の電子メールが、商用電子メール、広告、勧誘などであること示唆する判定基準を満たすことがブロック３０４で判定される場合、ブロック３２０で示すように電子メール内の情報から広告を導出することができる。広告の導出は、ブロック３２２で示すように広告（ａｄ）の作成を含むことができる。また、電子メールにおいて提供される情報から広告を導出する他の方法は、電子メールから得られた情報の一部またはすべてを装置内のどこか他の場所にある、または装置から遠くにある広告生成サービスへ提供することなどで実施されてもよい。より具体的には、一実施形態は、ブロック３０４において電子メールが広告かどうかを判定する、電子メールを分析するメールサーバを含んでもよく、この場合、このメールサーバが、リンク３２４を介して広告プラットフォームにアクセスし、さもなければ広告を遠隔の広告プラットフォームで作成するように要求する。
【００３２】
一実施形態において、広告電子メール内の情報は、広告を作成することができる十分な情報を含む。例えば、広告は、電子メールのコンテンツ内で既に作成されていてもよく、したがって、ブロック３２２における広告の作成は、電子メールから広告を取得することを含む。別の例として、広告用のテキスト、グラフィックディスプレイのサイズ（例えば、Ａ×Ｂピクセル）などのメタデータまたは他の情報が電子メールにおいて提示されてもよい。一実施形態において、異なるグループの電子メールの受信者に対して異なる広告が作成されてもよい。例えば、ある方法（例えば、年齢集団）で分類されたユーザに対して、第１の広告が受信した電子メール情報から作成されてもよく、第２の方法で分類されたユーザに対して、異なる広告が受信した電子メール情報から作成されてもよい。したがって、一実施形態において、電子広告の作成は、電子広告に対して２つ以上のフォーマットを作成すること、および電子通信文書の対象とする受信者のカテゴリーに基づいて複数のフォーマットのうちの少なくとも１つの電子広告を提示することを含む。
【００３３】
ブロック３２６において、広告が提示される。広告は、いくつもの方法でユーザに提示されてもよい。例えば、広告は、ブロック３２８で示すように電子メール内に直接提示されてもよい。より具体的な例として、入ってくる電子メールが保持され開かれる実施形態においては、広告は、開いた電子メールそのものにおいて提示されてもよい。広告は、電子メールの閲覧される本文の上部、底部、もしくは側部（複数可）に沿って提示されてもよく、または電子メール内で漂動してもよく、広告は、あるいはまたはさらに、電子メール本文の外側に、例えば、メニュー情報、ヘッダ情報、ステータスバーなど近くに表示されてもよい。別の実施形態において、広告は、電子メールそのものの外側ではあるが、電子メールが閲覧される電子メール・クライアント内に提示されてもよい。広告は、例えば、ブロック３３０で示すようにバナー広告または他の既知の広告として、電子メール・クライアント内の任意の場所に提示されてもよい。
【００３４】
別の例として、作成された広告（複数可）は、ウェブサイト３３２または他のプログラム３３４を介して提示されてもよい。例えば、ユーザは、ユーザに電子メールを供給するメールサーバと密接に関係している、さもなければ通信することができる特定のウェブサイトにログインすることができる。一例において、メールサーバは、ブロック３２２で示すように広告を作成することができ、次いでこの作成された広告（複数可）をユーザがログオンしているウェブサイト上に提示することができる。このように、特定のユーザに向けられた広告を、別のサイトを介してユーザに提示することができる。別の例として、広告を作成するか、さもなければ作成された広告を管理するメールサーバまたはローカルのクライアントは、ユーザ装置上の別のプログラム内に、または他のどこかに作成された広告を提示することができる。例えば、広告は、作成された広告がユーザ・コンピュータのデスクトップ上に表示されるデスクトップ・コンピュータなどのユーザ装置、ウェブ・ブラウザ、ワードプロセッシング・アプリケーションなどの別のアプリケーションまたはプログラムなどにおいてローカルに作成されてもよい。ブロック３２６に関して説明した例は、入ってくる電子メールから作成された広告を提示することができる代表的な例を示しているが、数多くの他の方法が本開示に関して使用されてもよい。
【００３５】
一実施形態において、入ってくる電子メールから広告を作成および提示することによって、広告が作成された電子メールが、影響を受けることはない。ブロック３４０で示すように、もとの電子メールは、そのまま残ることができる。例えば、ユーザは、入ってくる電子メールに関して、見つけ、開き、読み、移動し、削除し、および／またはその他の方法で行われてもよい任意のその他の処置を行うことができる。別の実施形態において、もとの電子メールは、ブロック３４２で示すようになんらかの方法で修正される。例えば、ブロック３４４で示すように、電子メールは、ユーザの受信ボックスから除去されるか、さもなければ削除されてもよい。一実施形態において、電子メールは、電子広告の作成とともに削除される。例えば、電子広告の作成に先立とうが、それと同時であろうが、またはその後であろうが、発信源の電子メールは、生成された電子広告が事実上発信源の電子メールに取って代わることができるため、削除されてもよい。そのような場合、広告情報を含んだ、入ってくる電子メールは、広告を作成することができるある一定の広告情報を、対象とする受信者に届ける伝達手段として主に使用される。広告が作成され、ユーザに提示されると、電子メールを保持しておく必要がなくなり、ユーザに電子メールを提示する必要さえなくなる。そうした事例においては、電子メールの目的は、広告を配信することであり、その後ユーザの受信ボックスから単に除去されるか、ユーザに配信される前に上流のメールサーバで削除されてもよい。
【００３６】
メールサーバまたは他の仲介装置が入ってくる電子メールをユーザの電子メール・クライアントに向ける場合、メールサーバそのものが電子メールをユーザの電子メール・クライアントにそもそも配信もせずに、削除することができる。そうした実施形態において、メールサーバは、電子メールからの広告情報または電子メールそのものを、広告プラットフォームまたは他のサービスに提供して、結果として得られる広告（複数可）を作成し、ユーザに提示することができる。あるいは、メールサーバの広告作成モジュールは、電子メールから広告を作成し、メールサーバが密接に関係している、さもなければ通信することができるウェブサイトまたは他のアプリケーションを介してユーザに広告を提示することができる。
【００３７】
また、ブロック３４２は、もとの電子メールを修正することができる他の方法を示す。電子メールは、それが受信されても、ユーザには提示されないように、ユーザの電子メール・クライアントにおいてユーザから単に隠して３４６おくことができる。そうした実施形態において、プロセッサまたは他のモジュールは、一旦広告が電子メールから作成されると、電子メールを削除するように構成されてもよい。さらに別の実施形態において、広告が作成される、入ってくる電子メールは、特定の受信ボックスまたは受信ボックス・ディレクトリ、保存ディレクトリ、電子ごみ箱などに移動されてもよい。電子メールのどんなタイプの修正形態も本開示による使用用に構成することができるので、ブロック３４２に関連づけられた例は、単に代表的な例として提供される。
【００３８】
図４は、入ってくる電子メール広告に基づいて広告を生成および提示することに関連づけられた様々な特徴を図式的に示す。本例において、入ってくる電子メールは、メール封筒４００によって示され、このメール封筒４００がユーザによって閲覧されるものである電子メール・メッセージ４０２によってより詳細に示されている。メッセージ４０２は、例えば、主題、電子メールが誰からのものか、誰向けのものかの識別表示など、閲覧可能なヘッダ情報４０４を含むことができる。提示された電子メール４０２は、例えば、テキスト４０８、画像／媒体４１０、リンク４１２などのアイテムのうちのいずれか１つまたは複数を含むことができるメッセージ本文４０６を含んでもよい。電子メール情報４１４は、提示される電子メール４０２を構成する情報の例であり、この情報にはヘッダ情報、本文などが含まれてもよい。ヘッダは、ＭＩＭＥ形式のタグまたは類似のタグを含んでもよい。上記したように、新しいＭＩＭＥ形式（複数可）を使用して、電子メール情報４１４が、広告を作成することができる広告情報を含むことを識別することができる。他のデータまたはメタデータが電子メール情報４１４内のどこかに含まれていてもよい。
【００３９】
図４は、ハードウェア、またはプログラム可能なハードウェア、例えば１つもしくは複数のプログラムされたプロセッサにおいて実施することができる一部の代表的なモジュールを示す。分析モジュール４２０は、例えば、入ってくる電子メール４００が広告情報４２２を含んでいるかどうかを分析し判定する命令を用いてプログラムされたプロセッサを使用して実施されてもよい。分析モジュール４２０は、電子メール情報４１４を構文解析して、電子メールが広告電子メールであることを明示的にまたは暗黙に示す指標を突きとめ、また電子メール情報４１４内の広告コンテンツを突きとめることができる。分析モジュール４２０は、例えば、電子メールがユーザの受信ボックス（例えば、ローカルの電子メール・クライアントの受信ボックス）で受信されるとき、電子メールが開かれるかさもなければ閲覧されるとき、メールサーバが電子メールを受信するときなど、任意の所望のトリガーに関連して分析を開始することができる。
【００４０】
上記したように、電子メールが広告情報を有していることを識別する指標は、明示的な指標であっても、または暗示的な指標であってもよい。明示的な指標に関しては、入ってくる電子メール４００が広告情報を含むかどうかの判定は、電子メール情報４１４に提供された明示的情報４２４を分析することによってなされてもよい。そうした明示的情報４２４には、電子メール・ヘッダ、本文、またはどこか他の場所に、入ってくる電子メールが広告情報を含むことを示す１つまたは複数の指示子（ｄｅｓｉｇｎａｔｏｒ）が含まれてもよい。本質的に電子メールを広告電子メールとして宣言するために、例えば、ＸＭＬまたはＨＴＭＬフォーマットを使用することができる。参照情報を記憶装置４２５などに保存して、比較モジュール４２８を使用して、電子メールを広告電子メールであると明示的に指定することができる電子メール内の情報と比較することができる。
【００４１】
あるいは、電子メール情報４１４は、アナライザ４２０によって分析され、入ってくる電子メール４００が広告（複数可）に変換される広告情報を含むことを暗示することができる。例えば、電子メール情報４１４の本文またはヘッダ内のメタデータ、情報は、分析モジュール４２０によって分析され、入ってくる電子メール４００が広告電子メールであることを暗示することができる。ある用語、熟語、数、記号などを、電子メール情報４１４から取得することができ、比較モジュール４２８は、暗示された情報４２６を記憶装置４２５に保存された参照情報と比較することができる。
【００４２】
分析モジュール４２０が入ってくる電子メール４００を明示的にまたは暗示的に広告電子メールであると見なす場合は、電子メールによって提供される情報は、広告作成モジュール４３０に提供される。広告情報４２２として示されるこの情報は、広告の作成において使用されるテキスト、画像、ビデオ、および／または他のコンテンツを含むことができる。一実施形態において、広告作成モジュール４３０による広告の作成は、分析モジュール４２０によって検出されたまたは取得された要素のうちの少なくとも一部を採用することによって、およびテンプレートをコンテンツで埋めるどの要素が存在するかに応じて遂行されうる。したがって、広告作成モジュール４３０は、広告情報４２２を使用して広告を作成し、結果として得られる広告を広告配置モジュール４３２に提供することができる。他の実施形態において、広告情報４２２は、広告の作成において使用することができるどこか他の場所にあるコンテンツへのリンク（複数可）を含んでもよい。
【００４３】
広告配置モジュール４３２は、結果として得られる広告をどこに置くべきかを決定し、および／または結果として得られる広告を決定した位置に導入する役割を果たすモジュールを表す。結果として得られる配置／位置情報４３４によって、広告を広告電子メールそのものの内部に配置することができる。このことが電子メール４３６において示され、もとの広告電子メール４００から作成された２つの広告４３８、４３９が、電子メール４３６内に提示されている。電子メール・クライアント４４２または他のユーザ・エージェントは、電子メール４４３の閲覧を容易にすることができる。本実施形態において、広告４４４、４４６は、電子メール４４３の外側ではあるが、電子メール・アプリケーションの内部に提示されている。さらに別の代表的な例において、広告は、異なるウィンドウ、プログラム、またはユーザ装置にさえ置かれてもよい。例えば、図４は、結果として得られる広告４５０が提示される、ウェブ・ブラウザ・ページなどのコンピュータ・アプリケーション４４８を示す。作成された広告は、所望の場所であればどこに置かれてもよい。結果として得られる広告を表示するための代表的な電子メール４３６、電子メール・クライアント４４２、アプリケーション４４８、または他の領域は、ユーザ装置のディスプレイ上に視覚的に提示されてもよい。
【００４４】
作成された広告は、閲覧者が見たり、聞いたりなどすることができる情報を表示するか、さもなければ提示することができる。作成された広告の選択によって、クーポンなどの情報を明らかにすることができる。一実施形態において、作成された広告を選択することは、広告主のウェブサイトなどの少なくとも１つの他の場所へのリンクとして動作する。さらに別の実施形態において、作成された広告を選択することは、広告が作成された広告電子メールへのリンクを提供する。したがって、広告を選択することは、リンクバックして広告の作成のもととなった電子メールを開くことであってもよい。広告情報を提供する電子メール内の利用可能なスペースに対して広告のためのスペースが制限されている場合に、これを使用することができる。したがって、ユーザが電子メールを開く、または電子メールに気づくことすらする前に、入ってくる電子メールから広告を作成することができるので、一実施形態は、作成された広告が選択された（例えば、「クリックされた」）ときに電子メールを開くことを含む。
【００４５】
図５は、電子メールおよび他の電子メッセージを処理して、それらが広告メッセージであるかどうかを判定し、それらから広告を作成し、作成された広告を提示することができる代表的なシステム、および／または本明細書に記載される他の機能を示すブロック図である。図５の例において、電子メッセージ５００は、ユーザ装置５０４に宛てられていると仮定されている。電子メッセージ５００は、ユーザ装置５０４を対象とすることができる電子メール、テキスト・メッセージ、マルチメディア・メッセージ、または他の電子メッセージを表すことができる。例示のために電子メッセージ５００が電子メールを表すと仮定すると、電子メールは、１つまたは複数の電子メールサーバ５０２経由でユーザ装置５０４に送られてもよい。一実施形態において、ユーザ装置５０４は、本例において電子メール・クライアントを表す電子メッセージ・クライアント５０６を介して電子メールを受信する。電子メッセージ・クライアント５０６は、ローカルに保存された電子メール・アプリケーション、ウェブ・ベースのまたは他のネットワーク供給される電子メール・アプリケーションなどであってもよい。電子メッセージ・クライアント５０６または他の指定されたプログラム（複数可）５０８は、入ってくる電子メールを分析してそのメールが広告電子メールかどうかを判定すること、そのメールから広告を作成すること、作成された広告をユーザが閲覧するための適切な場所に向けることなどによって、入ってくる電子メールをローカルに処理することができる。このことが、電子メッセージ・クライアント５０６および／または他のプログラム（複数可）５０８によって提供される広告５１０Ａによって示されている。そうした広告５１０Ａは、電子メッセージ・クライアント５０６の一部、別のプログラム５０８の一部などとして提示されてもよい。
【００４６】
別の実施形態において、本明細書に記載する機能の少なくとも一部は、電子メールサーバ５０２で扱われる。例えば、電子メールサーバ５０２は、電子メールまたは他の電子メッセージ５００を受信し、そもそも電子メールをユーザ装置５０４に提供する前に、この電子メールまたは他の電子メッセージ５００を分析してそれらが広告電子メールかどうかを判定することができる。あるいは、メールサーバ５０２は、入ってくる電子メールを分析して、その電子メールが広告電子メールかどうかを判定する一方で、その電子メールをユーザ装置５０４へ配信することもできる。そうした場合、メールサーバ５０２は、ユーザ装置５０４を対象とした、入ってくる電子メールからの情報を、広告５１０Ｂを作成するために使用することができる。次いで、電子メッセージ・クライアント５０６を同様に含むことができるなんらかのプログラム５０８によって、この広告５１０Ｂを、ユーザ装置５０４を介して閲覧することができる。一実施形態において、広告５１０Ｂは、例えば、ユーザ装置５０４が使用するウェブ・ベースの電子メール・アプリケーションなどのプログラム５０８に提供されてもよい。
【００４７】
さらに別の実施形態において、電子メールサーバ５０２は、電子メール、電子メールから構文解析された情報、または作成された広告を、広告（ａｄ）サーバすなわちプラットフォーム５１２に提供することができる。広告プラットフォーム５１２を使用して、広告５１０Ｃをユーザ装置５０４の計算処理に取り込むことができる。例えば、広告プラットフォーム５１２は、装置５０４のユーザが閲覧するウェブ・ページ、または広告を提示することができる広告ユニットを含むことが可能な他のプログラムに広告５１０Ｃを取り込むことができる。図５に示すように、広告プラットフォーム５１２は、電子メールを分析し、広告５１０Ｃを作成するために、電子メッセージ５００（または、メールサーバ５０２に送られた電子メッセージの写し）を直接受信するように構成されてもよい。電子メッセージ５００がメールサーバ５０２、広告プラットフォーム５１２、または他の仲介装置に提供される実施形態においては、もとの電子メッセージ５００は、最終的にユーザ装置５０４に配信されても、されなくてもよい。言いかえれば、一部の実施形態において、電子メッセージ５００は、最終的に電子メッセージ５００から広告を作成するために、仲介装置（例えば、メールサーバ５０２、広告プラットフォーム５１２など）に広告情報を提供する手段として使用される。
【００４８】
特定の一例において、ユーザは、ブラウザまたは他のプログラム５０８を利用して、ウェブ・ベースの電子メール・アプリケーションにアクセスすることができる。そうしたウェブサイトにログインすると、ユーザは、初めにそのウェブサイトのホームページに連れて行かれてもよく、ユーザは、クリックするか、さもなければ選択して、そのホームページから、ウェブ・ベースの電子メール受信ボックスに向かうことができる。そうした例において、そのウェブ・ベースのホームページ（または、そのサイトの他のページ）上に広告を配置する役割を担う広告プラットフォーム５１２または他のエンティティは、電子メール情報から広告を取得し、または作成し、そのホームページまたは他のページ上に広告を提示することができる。このように、ユーザは、彼／彼女に向けられた電子メールからの広告を提示されうるが、電子メールが彼／彼女の受信ボックスにあることさえ気づかない可能性がある。一実施形態において、ユーザは、広告を選択することによって、まず初めに広告の作成を開始した広告電子メールに連れて行かれてもよい。この概念は、「上流の」ウェブサイトのいずれにも適用することができる。例えば、第１のウェブサイトが、（ウェブ・ベースの電子メール・アプリケーションなどの）第２のサイトとのリンクを含み、さもなければ第２のサイトと密接に関係している場合、広告を第１のウェブサイトで提示することができる。ユーザが第１のウェブサイトの広告をクリックするか、さもなければ選択する場合は、第２のサイトの電子メールをユーザに提示することができる。
【００４９】
別の実施形態は、電子メッセージ５００に数多くの形態があってもよいことを認める。電子メールに加えて、他の電子メッセージ、例えばテキスト・メッセージ、マルチメディア・メッセージ、または他のアドレス可能な電子メッセージが、ユーザ装置５０４を対象としてもよい。一実施形態において、例えば、電子メッセージ５００は、テキスト・メッセージを配信する携帯電話ネットワークにおいて送ることができるテキスト・メッセージ（例えば、ショート・メッセージ・サービスまたは「ＳＭＳ」メッセージ）を表すと仮定する。テキスト・メッセージは、テキスト・メッセージを配信するショート・メッセージ・サービス・センター（ＳＭＳＣ）５１４またはモバイルネットワーク内の他のネットワーク・エレメントによって受信されてもよい。分析モジュールおよび作成モジュールは、ユーザ装置５０４に提供する、または他の方法でユーザに提示する（例えば、装置５０４のユーザがログオンしている、もしくはログオンできるウェブサイトに提供する）ことができる広告５１０Ｄを最終的に作成するＳＭＳＣ５１４または他のネットワーク・エレメントに設けられてもよい。テキスト・メッセージは、広告５１０Ｄの作成において使用される情報を含むことができ、または適切な広告を検索することができるリンク（複数可）もしくは他のアドレスを含むことができる。このように、テキスト・メッセージによって表されるアドレス可能な電子メッセージ５００を、広告５１０Ｄの作成および最終的な配置を開始する伝達手段として使用することができる。マルチメディア・メッセージ・サービス（ＭＭＳ）などの他の類似のメッセージ伝達技術を同様に使用して、本明細書に記載されるように広告を最終的に作成することができることに留意されたい。また、ユーザ装置５０４は、デスクトップ計算装置、携帯計算装置、スマートフォンまたは他のモバイル機器などであってもよいことを認識されたい。
【００５０】
図５に関連して記したように、様々なエンティティが電子メールまたは他の電子メッセージを受信し処理することができる。図６Ａ、６Ｂおよび６Ｃは、本明細書に記載したような電子広告の作成を容易にする装置の様々な代表的な例を示す。図６Ａ、６Ｂおよび６Ｃにおいて、対応するモジュールに対して同様の参照数字が使用されている。
【００５１】
図６Ａの実施形態において、役割を担う装置には、少なくとも、受信器６００、分析モジュール６０２、および広告作成モジュール６０４が含まれる。受信器６００は、対象とする受信者に宛てた電子メッセージ（例えば、電子メール、テキスト・メッセージなど）を受信するように構成される。分析モジュール６０２は、電子メッセージを受信し、電子メッセージが、電子広告として構築できる情報を伝達しているかどうかを判定するように構成される。電子メッセージがその情報を含んでいた場合は、広告作成モジュール６０４は、少なくともその情報を使用して、電子広告を作成する。
【００５２】
図６Ｂの実施形態において、受信器６００、分析モジュール６０２、および広告作成モジュール６０４は、対象とする受信者のユーザ装置６１０において実施される。ユーザ装置は、ユーザ装置６１０を介して電子広告を提示するように構成された広告配置モジュール６０６をさらに含むことができる。そうした提示には、ディスプレイを介して電子広告を表示すること、スピーカを介して電子広告を聞き取れるように読むことなどのうちの１つまたは複数が含まれてもよい。
【００５３】
図６Ｂの実施形態において、受信器６００、分析モジュール６０２、および広告作成モジュール６０４は、電子メッセージの発信源と対象とする受信者のユーザ装置との間の通信経路にあるメッセージサーバ６２０（例えばメールサーバ、ＳＭＳＣなど）で実施される。一実施形態において、メールサーバ６２０は、ユーザ装置に電子広告を送信するように構成された送信器６０８をさらに含む。本開示により様々な他の構成も実施することができるので、図６Ａ〜６Ｃの例は、単なる代表的なものである。
【００５４】
一実施形態は、電子メールを受信する装置において本開示による動作を行うことを含む。例えば、電子メール・アプリケーションを、入ってくる電子メールから広告を作成するように構成することができる。図７は、送信されたメッセージが電子メールであり、動作を行う装置が電子メールを受信するユーザ装置であり、電子メールが電子メールを明示的に広告電子メールであると識別するように構成され、結果として得られる広告がユーザ装置を介して提示される一例を示す流れ図である。より具体的には、代表的な方法は、対象とする装置に対して宛てた電子メールを受信するステップを含み、この装置が電子メール内のデータのうちの少なくとも一部を分析して、電子メールが広告情報を含む広告電子メールであることを明示的に示すデータを含むかどうかを判定する。電子メールが広告電子メールであると判定される場合、広告コンテンツが電子メールから構文解析され、電子メールからの少なくともその広告コンテンツを使用して電子広告が作成される。作成された電子広告を、対象とする装置を介して提示することができる。
【００５５】
図８は、本明細書に記載された原理を実施することができる代表的な計算システム８００を示す。代表的な計算システム８００は、ユーザ／クライアント装置、またはサーバ（例えばメールサーバ、ＳＭＳＣなど）のいずれかを表すことができ、以下に差異を述べる。電子メールからの電子広告の作成を容易にするための構造および動作の開示は、アプリケーションを実行することができる任意の環境において適用可能であるため、図８に関連して説明される計算環境は、例示のために記載されている。図８の計算機構成は、一部の実施形態において、複数の装置にわたって分散されてもよいことにもまた留意されたい。
【００５６】
クライアント装置およびサーバの両方に対して、代表的な計算システム８００は、システム・バス８０４を介して数多くのモジュールに結合されたプロセッサ８０２を含むことができる。図示するシステム・バス８０４は、計算機環境の様々な構成要素およびモジュールに直接または間接的に結合することができる任意のタイプのバス構造（複数可）を表す。読み取り専用メモリ（ＲＯＭ）８０６は、プロセッサ８０２によって使用されるファームウェアを保存するために設けられてもよい。ＲＯＭ８０６は、例えばプログラマブルＲＯＭ（ＰＲＯＭ）、消去可能ＰＲＯＭ（ＥＰＲＯＭ）などの任意のタイプの読み取り専用メモリを表す。
【００５７】
ホストまたはシステム・バス８０４は、メモリ・コントローラ８１４に結合されてもよく、このメモリ・コントローラ８１４がメモリ・バス８１６を介してメモリ８１２に結合される。本明細書に記載される広告作成に関連づけられた動作モジュールは、メモリ８１２などの揮発性記憶装置ならびに不揮発性記憶装置を含むどんな記憶装置に保存されてもよく、および／またはそうした記憶装置を利用することができる。図８は、アプリケーション、モジュール、データ、および他の情報を一時的にまたは永久に保存することができる様々な他の代表的な記憶装置を示す。例えば、システム・バスは、内部記憶装置インタフェース８３０に結合することができ、この内部記憶装置インタフェース８３０がハードドライブなどの駆動装置（複数可）８３２に結合することができる。記憶装置８３４は、駆動装置と関連づけられているか、さもなければ駆動装置とともに動作可能である。そうした記憶装置の例は、ハードディスク、他の磁気または光学媒体、フラッシュ・メモリおよび他の固体デバイスなどを含む。内部記憶装置インタフェース８３０は、任意のタイプの揮発性または不揮発性記憶装置を利用してもよい。
【００５８】
同様に、取り外し可能媒体用のインタフェース８３６もバス８０４に結合することができる。駆動装置８３８は、例えば、フロッピー(登録商標)ディスク、光ディスク、メモリ・カード、フラッシュ・メモリ、外部ハードディスクなどの取り外し可能記憶装置８４０を受け入れ、そうした取り外し可能記憶装置８４０に作用する取り外し可能記憶装置インタフェース８３６に結合することができる。ある場合には、外部記憶装置８４４にアクセスするために、ホストアダプタ８４２が設けられてもよい。例えば、ホストアダプタ８４２は、スモール・コンピュータ・システム・インタフェース（ＳＣＳＩ）、ファイバーチャンネル、シリアル・アドバンスト・テクノロジー・アタッチメント（ＳＡＴＡ）、またはｅＳＡＴＡ、および／または外部記憶装置８４４に接続することができる他の類似のインタフェースを介して外部記憶装置とインタフェースすることができる。ネットワーク・インタフェース８４６によって、さらに別の遠隔記憶装置が計算システム８００にアクセス可能であってもよい。例えば、ネットワーク・インタフェース８４６に関連づけられた有線および無線送受信器によって、記憶装置８４８との通信が１つまたは複数のネットワーク８５０を介して可能になる。記憶装置８４８は、個別の記憶装置、または別の計算システム、サーバに関連づけられた記憶装置などを表してもよい。遠隔記憶装置およびシステムとの通信は、有線ローカルエリアネットワーク（ＬＡＮ）、無線ＬＡＮ、および／またはインターネットなどのグローバルエリアネットワーク（ＧＡＮ）を含むより大きなネットワークを介して遂行されてもよい。
【００５９】
ローカルの電子メールまたは他のメッセージ伝達クライアント、およびサーバ装置は、電子メール、広告情報、および／または作成された広告などの情報を伝達する。ユーザ装置とサーバ装置間の通信は、直接配線、ピアツーピア・ネットワーク、ローカルのインフラ・ベースのネットワーク（例えば、有線および／または無線ローカルエリアネットワーク）、大都市エリアネットワークおよび他の広域ネットワークなどのオフサイトネットワーク、グローバルエリアネットワークなどによって達成することができる。これらまたは他の通信手法のいずれかにおいてデータを送信および／または受信する代表的な計算システムの構造的な能力を示すため、図８において、送信器８５２および受信器８５４が示されている。送信器８５２および／または受信器８５４は、スタンド・アロンの構成要素であってもよく、送受信器（複数可）として統合されてもよく、ネットワーク・インタフェース８４６などの他の通信装置に統合されても、またはその既存の一部であってもよい。
【００６０】
計算システム８００がメッセージをユーザ装置に配信するために受信するメールサーバまたは他のメッセージ伝達サーバを表す場合、送信器８５２を介して情報を送信することができる。クライアントおよびサーバ装置は、送信器８５２および／または受信器８５４を含むことができ、これらの送信器８５２および／または受信器８５４は、個別の構成要素もしくは送受信器の一部として設けられてもよく、スタンド・アロンの装置として設けられても、またはネットワーク・インタフェース８４６などの別の構成要素に統合されてもよい。ユーザ装置とサーバ間の通信は、それらの送信器８５２および受信器８５４を両方とも利用することができる。ユーザ装置またはサーバにおいて計算システム８００を実施することができるため、ブロック８５６は、計算システム８００と通信しているユーザ装置またはサーバを表し、計算システム８００がその２つのうちのもう一方を表す。
【００６１】
代表的な計算システム８００がユーザ装置を表す場合、メモリ８１２および／または記憶装置８３４、８４０、８４４、８４８を使用して、上記のユーザ装置の、分析および広告作成技法に関連して使用されるプログラムおよびデータを保存することができる。クライアント装置の記憶装置／メモリ８６０は、メモリ８１２、記憶装置８３４、８４０、８４４、８４８、および／または他のデータ保持装置に保存することができるものを表す。代表的なクライアント装置の記憶装置／メモリ８６０は、オペレーティング・システム（図示せず）、および機能モジュールによって表されるプロセッサ実施機能を含んでもよい。例えば、上記のモジュールには、分析モジュール８６２、広告作成モジュール８６４、広告配置モジュール８６６、推論アルゴリズム（複数可）８６８、比較モジュール８７０、およびデータ８７２が含まれる。データ８７２は、入ってくる電子メールが広告を作成する判定基準を満たすかどうかを判定するために、比較モジュール８７０を使用して入ってくる電子メール情報と比較することができる参照情報８７４を含むことができる。
【００６２】
代表的な計算システム８００がサーバ（例えば、メールサーバ）を表す場合、メモリ８１２および／または記憶装置８３４、８４０、８４４、８４８を使用して、上記のサーバの機能動作に関連して使用されるプログラムおよびデータを保存することができる。サーバの記憶装置／メモリ８８０は、メモリ８１２、記憶装置８３４、８４０、８４４、８４８、データベースおよび／または他のデータ保持装置に保存することができるものを表す。代表的なサーバの記憶装置／メモリ８８０は、オペレーティング・システム（図示せず）、モジュール８６２〜８７０のうちの１つまたは複数、データ８７２などを含んでもよい。どのモジュールがクライアント装置の記憶装置／メモリ８６０、またはサーバの記憶装置／メモリ８８０に設けられるかの判断は、それぞれの負うべき役割がどこに配置されるべきかに依存する。
【００６３】
上記したように、処理および通信能力を有するどんな計算装置でも、本明細書に記載される教示を用いて、本明細書に記載される機能を実行することができるため、図８における代表的な計算システム８００は、例示のために提供されている。本明細書に示した流れ図または他の図面における様々な機能のシーケンスは、別段の指摘がない限り、示された代表的な順番になっている必要はないこともまた留意されたい。
【００６４】
前述の例において示したように、本明細書に記載された実施形態は、受信した電子メールおよび他の電子通信文書に基づいた電子広告の作成および提示を容易にする。様々な実施形態において、例えば、（物理的なプロセッサおよび／または論理的なプロセッサ、コントローラなどを含む）プロセッサを介して実行可能なソフトウェア・モジュールを提供することよって、計算装置上で実行することができる方法について説明している。また、本方法は、プロセッサ、および／またはプロセッサを介して処理するための情報を準備する回路がアクセスし読むことができるコンピュータ可読媒体上に保存されてもよい。例えば、コンピュータ可読媒体は、メモリ８１２、記憶装置８３４、８４０、８４４、８４８、その他の揮発性もしくは不揮発性のディジタル記憶装置などを含む任意のディジタル記憶装置技術を含んでもよい。命令を本明細書に記載されるようなコンピュータ可読媒体上に保存することは、命令を伝播させるまたは送信することとは区別可能であって、その理由は、伝播は命令を転送するのに対して、命令の保存は、例えば命令を保存するコンピュータ可読媒体を用いて行われうるからである。したがって、別段の指摘がない限り、このまたは類似の形態で、命令を保存するコンピュータ可読媒体（複数可）への言及は、データを保存または保持することができる実体のある媒体を指す。
【００６５】
構造的特徴および／または方法論的な行為に特有の文言で主題について説明したが、添付の特許請求の範囲において規定される主題は、上記の特有の特徴または行為に必ずしも限定されないことを理解されたい。むしろ、上記の特有の特徴および行為は、特許請求の範囲を実施する代表的な形態として開示されている。
【符号の説明】
【００６６】
１００  発信源
１０２  アドレス可能な電子通信文書
１０４Ａ  ユーザ装置
１０４Ｂ  ユーザ装置
１０６  広告準備モジュール
１０８  メールサーバ
１１０  電子通信文書分析モジュール
１１２  広告作成モジュール
２００  ブロック
２０２  判定ブロック
２０４  ブロック
２０６  ブロック
２０８  ブロック
２１０  ブロック
３００  ブロック
３０２  ブロック
３０４  ブロック
３０６  ブロック
３０８  電子メール・ヘッダ
３１０  ＭＩＭＥ形式
３１２  メタデータ
３１４  ブロック
３１６  アルゴリズム
３２０  ブロック
３２２  ブロック
３２４  リンク
３２６  ブロック
３２８  ブロック
３３０  ブロック
３３２  ウェブサイト
３３４  他のプログラム
３４０  ブロック
３４２  ブロック
３４４  ブロック
４００  メール封筒
４０２  電子メール・メッセージ
４０４  ヘッダ情報
４０６  メッセージ本文
４０８  テキスト
４１０  画像／媒体
４１２  リンク
４１４  電子メール情報
４２０  分析モジュール
４２２  広告情報
４２４  明示的情報
４２５  記憶装置
４２６  暗示された情報
４２８  比較モジュール
４３０  広告作成モジュール
４３２  広告配置モジュール
４３４  配置／位置情報
４３６  電子メール
４３８  広告
４３９  広告
４４２  電子メール・クライアント
４４３  電子メール
４４４  広告
４４６  広告
４４８  アプリケーション
４５０  広告
５００  電子メッセージ
５０２  電子メールサーバ
５０４  ユーザ装置
５０６  電子メッセージ・クライアント
５０８  プログラム
５１０Ａ  広告
５１０Ｂ  広告
５１０Ｃ  広告
５１０Ｄ  広告
５１２  広告プラットフォーム
５１４  ショート・メッセージ・サービス・センター
６００  受信器
６０２  分析モジュール
６０４  広告作成モジュール
６０６  広告配置モジュール
６０８  送信器
６１０  ユーザ装置
６２０  メッセージサーバ
８００  計算システム
８０２  プロセッサ
８０４  システム・バス
８０６  ＲＯＭ
８１２  メモリ
８１４  メモリ・コントローラ
８１６  メモリ・バス
８３０  内部記憶装置インタフェース
８３２  駆動装置
８３４  記憶装置
８３６  取り外し可能媒体用のインタフェース
８３８  駆動装置
８４０  取り外し可能記憶装置
８４２  ホストアダプタ
８４４  外部記憶装置
８４６  ネットワーク・インタフェース
８４８  記憶装置
８５０  ネットワーク
８５２  送信器
８５４  受信器
８５６  ブロック
８６０  クライアント装置の記憶装置／メモリ
８６２  分析モジュール
８６４  広告作成モジュール
８６６  広告配置モジュール
８６８  推論アルゴリズム
８７０  比較モジュール
８７２  データ
８７４  参照情報
８８０  サーバの記憶装置／メモリ
【図１】
2014525629.tif 000003
【図２】
2014525629.tif 000004
【図３】
2014525629.tif 000005
【図４】
2014525629.tif 000006
【図５】
2014525629.tif 000007
【図６Ａ】
2014525629.tif 000008
【図６Ｂ】
2014525629.tif 000009
【図６Ｃ】
2014525629.tif 000010
【図７】
2014525629.tif 000011
【図８】
2014525629.tif 000012
【国際調査報告】
2014525629.tif 000013
2014525629.tif 000014